(57)【要約】【課題】定着器の種類によらず、用紙を適切に搬送するよう制御することを目的とする。【解決手段】種類の異なる複数の定着器を交換可能な画像形成装置であって、装着されている定着器の種類を特定する特定手段と、定着器に搬送される用紙の重送の有無を判定する判定手段と、定着器の種類毎に、判定手段による判定結果に応じて、用紙の搬送を制御する搬送制御手段とを有する。【選択図】図４
2017107041.tif 000002
【特許請求の範囲】
【請求項１】
種類の異なる複数の定着器を交換可能な画像形成装置であって、
装着されている定着器の種類を特定する特定手段と、
定着器に搬送される用紙の重送の有無を判定する判定手段と、
前記定着器の種類毎に、前記判定手段による判定結果に応じて、前記用紙の搬送を制御する搬送制御手段と
を有することを特徴とする画像形成装置。
【請求項２】
前記搬送制御手段は、前記特定手段により複数の用紙が重ねられた状態の重なり用紙を搬送対象とする定着器の種類が特定され、かつ前記判定手段により重送でないと判定された場合に、用紙の搬送を停止させることを特徴とする請求項１に記載の画像形成装置。
【請求項３】
前記特定手段により前記重なり用紙を搬送対象とする定着器の種類が特定され、かつ前記判定手段により重送でないと判定された場合に、ユーザに確認を促す通知情報を出力する出力手段をさらに有することを特徴とする請求項２に記載の画像形成装置。
【請求項４】
前記搬送制御手段は、前記特定手段により複数の用紙が重ねられた状態の重なり用紙を搬送対象とする定着器の種類が特定され、かつ前記判定手段により重送と判定された場合に搬送を継続させることを特徴とする請求項１乃至３何れか１項に記載の画像形成装置。
【請求項５】
前記搬送制御手段は、前記特定手段により１枚単位の用紙を搬送対象とする定着器の種類が特定され、かつ前記判定手段により重送と判定された場合に、搬送を停止させることを特徴とする請求項１乃至４何れか１項に記載の画像形成装置。
【請求項６】
前記搬送制御手段は、前記特定手段により１枚単位の用紙を搬送対象とする定着器の種類が特定され、かつ重送でないと判定された場合に、搬送を継続させることを特徴とする請求項１乃至５何れか１項に記載の画像形成装置。
【請求項７】
前記特定手段により前記特定手段により複数の用紙が重ねられた状態の重なり用紙を搬送対象とする定着器の種類が特定され、かつ前記判定手段により重送でないと判定された状態で、印刷処理が行われた回数が所定回数に達している場合に、ユーザに確認を促す通知情報を出力する出力手段をさらに有することを特徴とする請求項１に記載の画像形成装置。
【請求項８】
前記搬送制御手段は、前記特定手段により前記重なり用紙を搬送対象とする定着器の種類が特定され、かつ前記判定手段により重送でないと判定された状態で、印刷処理が行われた回数が所定回数に達していない場合に、ユーザから印刷指示を受け付けた場合に、用紙の搬送を継続させることを特徴とする請求項７に記載の画像形成装置。
【請求項９】
前記出力手段は、前記特定手段により複数の用紙が重ねられた状態の重なり用紙を搬送対象とする定着器の種類が特定され、かつ重送でないと判定された状態で、印刷処理が行われた回数が所定回数に達していない場合に、印刷指示を受け付け可能な旨の通知情報を出力することを特徴とする請求項７又は８に記載の画像形成装置。
【請求項１０】
種類の異なる複数の定着器を交換可能な画像形成装置が実行する制御方法であって、
装着されている定着器の種類を特定する特定ステップと、
定着器に搬送される用紙の重送の有無を判定する判定ステップと、
前記定着器の種類毎に、前記判定ステップにおける判定結果に応じて、前記用紙の搬送を制御する搬送制御ステップと
を含むことを特徴とする制御方法。
【請求項１１】
コンピュータを、請求項１乃至９何れか１項に記載の画像形成装置の各手段として機能させるためのプログラム。
【発明の詳細な説明】
【技術分野】
【０００１】
本発明は、画像形成装置、制御方法及びプログラムに関する。
【背景技術】
【０００２】
従来、レーザプリンタやデジタル複合機等の画像形成装置を用いたプロダクションプリントの分野では、普通紙の印刷以外に特殊な用紙の大量印刷が行われている。特殊な用紙の印刷としては、光沢処理がされているコート紙や厚紙、ラベル紙、ハガキ、封筒等がある。封筒の印刷においては、折り返し部分や複数枚の紙の貼り合せ部分が存在し、用紙の厚みも不均一であるため印刷時にしわが発生しやすく、印刷時のしわの防止するために専用の定着器が用いられる場合がある。
【０００３】
また、特許文献１には、定着器の種類を識別し、装着されている定着器の調整値をメモリから読み取って画像データにガンマ補正を付与する方法が開示されている。
【先行技術文献】
【特許文献】
【０００４】
【特許文献１】特開２０１３−２４２４２５号公報
【発明の概要】
【発明が解決しようとする課題】
【０００５】
しかしながら、封筒専用の定着器が装着された状態において、誤って封筒以外の用紙が搬送される場合があり、封筒以外の用紙がそのまま搬送されると、定着器において用紙巻き付き等の定着器故障の原因になり得る。
【０００６】
本発明はこのような問題点に鑑みなされたもので、定着器の種類によらず、用紙を適切に搬送するよう制御することを目的とする。
【課題を解決するための手段】
【０００７】
そこで、本発明は、種類の異なる複数の定着器を交換可能な画像形成装置であって、装着されている定着器の種類を特定する特定手段と、定着器に搬送される用紙の重送の有無を判定する判定手段と、前記定着器の種類毎に、前記判定手段による判定結果に応じて、前記用紙の搬送を制御する搬送制御手段とを有することを特徴とする。
【発明の効果】
【０００８】
本発明によれば、定着器の種類によらず、用紙を適切に搬送するよう制御することができる。
【図面の簡単な説明】
【０００９】
【図１】画像形成システムを示す図である。
【図２】定着器の交換作業を示す図である。
【図３】重送センサの断面構成図である。
【図４】画像形成システムによる処理を示すフローチャートである。
【図５】第２の実施形態に係る処理を示すフローチャートである。
【図６】警告画面の一例を示す図である。
【図７】第３の実施形態に係る処理を示すフローチャートである。
【図８】警告画面の一例を示す図である。
【発明を実施するための形態】
【００１０】
以下、本発明の実施形態について図面に基づいて説明する。
【００１１】
図１（ａ）は、本実施形態に係る画像形成システム１００の外観図である。画像形成システム１００は、主に、画像形成装置１０１と、給紙トレイ１０３ａ〜１０３ｃと、操作部１０４とを有している。給紙トレイ１０３ａ〜１０３ｃは、画像形成装置１０１に供給される用紙を収容する。操作部１０４は、例えば静電容量方式のタッチパネルを備えたユーザインターフェースである。操作部１０４としてのタッチパネルは、画像形成装置１０１の各種情報を表示するとともに、ユーザによる入力操作を受け付ける。
【００１２】
図１（ｂ）は、画像形成システム１００のハードウェア構成を示す図である。画像形成システム１００は、画像形成装置１０１と、給紙トレイ１０３と、操作部１０４の他に、スキャナ１０２と、フィニッシャ１０５とを有している。画像形成装置１０１は、ＣＰＵ１１１と、メモリ１１２と、記憶部１１３と、給紙トレイＩ／Ｆ１１４と、ＮＷＩ／Ｆ１１５と、タイマ１１６と、ファックスＩ／Ｆ１１７と、を有している。画像形成装置１０１は、さらにエンジンＩ／Ｆ１１８と、電源制御部１１９と、スキャナＩ／Ｆ１２０と、システムバス１２１と、プリンタ部１３０と、を有している。
【００１３】
ＣＰＵ１１１は、記憶部１１３に記憶された制御プログラムを読み出して各種処理を実行する。メモリ１１２は、ＣＰＵ１１１の主メモリ、ワークエリア等の一時記憶領域として用いられる。ＮＷＩ／Ｆ１１５は、ネットワークを介して外部装置との通信処理を行う。なお、後述する画像形成装置１０１の機能や処理は、ＣＰＵ１１１が記憶部１１３に格納されているプログラムを読み出し、このプログラムを実行することにより実現されるものである。
【００１４】
プリンタ部１３０は、プリンタ部１３０全体を制御するＣＰＵ１３１と、画像形成部１３２と、フィニッシャＩ／Ｆ１３３と、着脱検知センサ１３４と、定着器１４０と、給紙部１５０とを有している。
【００１５】
定着器１４０は、着脱可能、交換可能に設けられている。プリンタ部１３０には、種類の異なる定着器を装着可能である。定着器１４０は、ヒーター１４１と、識別デバイス１４２と、温度センサ１４３と、を有している。ヒーター１４１は、用紙上に形成されたトナー画像を定着させるために用いられる。識別デバイス１４２は、定着器に組み込まれた不揮発性メモリである。不揮発性メモリには、定着器毎に決められた一意に定まる個体識別情報が書き込まれている。温度センサ１４３は、定着器の温度を検知する。また、着脱検知センサ１３４は、プリンタ部１３０への定着器１４０の着脱を検知する。
【００１６】
給紙部１５０は、重送センサ１５１と、給紙サイズセンサ１５２と、残量センサ１５３と、搬送部１５４と、を有している。搬送部１５４は、用紙の搬送を行う。重送センサ１５１は、通過した用紙は１枚か否かを検知する。重送センサ１５１については、図３を参照しつつ後述する。給紙サイズセンサ１５２は、用紙サイズを検知する。残量センサ１５３は、給紙トレイ１０３に収容されている用紙残量を検知する。
【００１７】
図２は、オペレータによる定着器１４０の交換作業を示す図である。オペレータは、定着器１４０の両端に取り付けられている取り付け用取手２００を両手で保持して定着器１４０の脱着を行う。定着器１４０としては、封筒印刷で使用される封筒用定着器と、１枚単位の用紙を搬送単位とする場合に使用される通常定着器の２つがあり、プリンタ部１３０は、これら２種類の定着器のうちいずれかを装着して、印刷を行う。ここで、封筒印刷で使用される封筒は、用紙が重ねられた重なり用紙の一例である。なお、重なり用紙は、重ねられた状態の用紙が搬送対象の単位となるような用紙であればよく、封筒に限定されるものではない。
【００１８】
封筒用定着器はいくつかの点で通常定着器とは異なる構成となっている。封筒は複数枚の紙を貼り合わせており、なおかつ閉じ口となるフラップ部を持つ等封筒以外の用紙とは違った考慮が必要となる。例えば、封筒用定着器は、通常定着器に比べて、加圧ローラや定着フィルムの厚みが薄くなっており、印刷時のしわが起き難くなっている。また、封筒用定着器と通常定着器とでは、加圧ローラの圧力も異なっている。このように、封筒用定着器は、封筒用紙に特化した構造となっているので、封筒以外の用紙をこの定着器で印刷してしまうと画像不良や定着器の動作不良につながる場合がある。
【００１９】
図３は、重送センサ１５１の断面構成図である。重送センサ１５１は、超音波発信部３０１と超音波受信部３０２からなる。超音波発信部３０１は、超音波発信部３０１と超音波受信部３０２の間を画像形成（印刷）に使用する用紙３０３が通過するときに超音波３０４を発振する。超音波受信部３０２は、用紙３０３を通過してきた超音波３０５のエコーレベルを受信計測し、用紙の重送の有無を判定する。図３に示すように、用紙３０３と用紙３０６が重なって搬送される重送が発生したとする。この場合、超音波受信部３０２で受信計測される超音波３０５のエコーレベルは、用紙３０３だけが搬送されて受信計測した超音波３０５のエコーレベルと比べて、エコーレベルが減衰して検出されるため、重送が発生したと判断できる。封筒は複数の用紙を張り合わせた構造のため、用紙３０３だけが搬送された場合と比べて、エコーレベルが常に減衰して検出される。そのため封筒が搬送された場合は、常に重送が発生していると判断される。
【００２０】
図４は、画像形成システム１００による処理を示すフローチャートである。オペレータ（ユーザ）が封筒を給紙トレイ１０３にセットし、操作部１０４から封筒印刷の指示を行うと印刷処理が開始する。Ｓ４０１において、ＣＰＵ１１１は、給紙トレイ１０３に保持されている用紙の給紙・搬送を指示する。次に、Ｓ４０２において、ＣＰＵ１１１は、定着器１４０の識別デバイス１４２に書き込まれた識別情報を読み取り、識別情報に基づいて、プリンタ部１３０に装着されている定着器１４０の種類を特定する（特定処理）。なお、本実施形態においては、識別情報は、８ケタのシリアル番号であり、このシリアル番号は個体識別情報であると共に、定着器の種類を示す種類情報を含んでいるものとする。ＣＰＵ１１１は、封筒用と特定した場合には（Ｓ４０２で封筒用）、処理をＳ４０３へ進める。ＣＰＵ１１１は、封筒用と特定しなかった場合には（Ｓ４０２で封筒用以外）、処理をＳ４０４へ進める。
【００２１】
Ｓ４０３において、ＣＰＵ１１１は、重送センサ１５１の検知結果から、重送か否かを判定する（判定処理）。ＣＰＵ１１１は、重送と判定した場合には（Ｓ４０３で有）、処理をＳ４０５へ進める。ＣＰＵ１１１は、重送でないと判定した場合には（Ｓ４０３で無）、処理をＳ４０６へ進める。なお、搬送対象が封筒用の場合には、重送センサ１５１で重送と判定される。一方、封筒用定着器を画像形成装置１０１に装着しているにも関わらず封筒以外の用紙が搬送された場合には、重送でないと判定される。Ｓ４０５において、ＣＰＵ１１１は、搬送されてきた用紙に対し、印刷処理を行う。以上で処理が終了する。このように、重送が生じている場合には、正しく封筒が搬送されているので、この場合には、ＣＰＵ１１１は、搬送を継続させるように制御する。
【００２２】
また、Ｓ４０６において、ＣＰＵ１１１は、用紙の搬送を停止するよう制御し（搬送制御処理）、印刷処理を停止する。ＣＰＵ１１１はさらに、印刷処理を停止した旨を示す警告画面を表示する。ここで、警告画面は、オペレータに印刷処理を停止した旨を通知すると共に、用紙等の確認を促す通知情報である。他の例としては、ＣＰＵ１１１は、用紙の種類と定着器の種類が適合しない旨をさらに含む警告画面を表示してもよい。なお、Ｓ４０６の処理は、通知情報を出力する出力処理の一例である。なお、他の例としては、画像形成システム１００はスピーカを備える場合には、通知情報を音声出力してもよい。なお、Ｓ４０５及びＳ４０６の処理は、定着器の種類毎に判定結果に応じて、用紙の搬送を制御する搬送制御処理の一例である。
【００２３】
次に、Ｓ４０７において、ＣＰＵ１１１は、オペレータからの指示を待つ。ＣＰＵ１１１は、オペレータから印刷指示を受け付けた場合には（Ｓ４０７でする）、処理をＳ４０１へ進める。ＣＰＵ１１１は、印刷指示を受け付けなかった場合には（Ｓ４０７でしない）、処理を終了する。またＳ４０４においては、ＣＰＵ１１１は、重送センサ１５１の検知結果から、重送か否かを判定する。ＣＰＵ１１１は、重送と判定した場合には（Ｓ４０４で有）、処理をＳ４０８へ進める。ＣＰＵ１１１は、重送でないと判定した場合には（Ｓ４０４で無）、処理をＳ４０９へ進める。
【００２４】
Ｓ４０８において、ＣＰＵ１１１は、用紙の搬送を中止し、印刷処理を中止する。ＣＰＵ１１１はさらに、印刷処理を中止した旨を示す警告画面を表示する。ここで、警告画面は、オペレータに印刷処理を中止した旨を通知すると共に、用紙確認を促す通知情報である。以上で、処理が終了する。重送が発生した状態で、印刷処理を継続すると用紙が定着器等に巻き付き用紙ジャム等の装置の故障を引き起こすので、この場合には、画像形成装置１０１は、印刷処理を中止する。一方、Ｓ４０９において、ＣＰＵ１１１は、搬送されてきた用紙に対し、印刷処理を行う。以上で処理が終了する。このように、重送が生じていない場合には、印刷処理を継続する。
【００２５】
従来は、封筒用定着器が装着された場合には、重送センサをオフにしていたが、本実施形態に係る画像形成システム１００は、封筒用定着器が装着された状態においても、重送判定を行うこととした。そして、画像形成システム１００は、重送無しと判定された場合には、封筒以外の用紙が搬送されていると判断し、搬送処理を停止させる。一方で、重送と判定された場合には、正しく封筒を搬送していると判断し、搬送処理を継続させる。このように、画像形成システム１００は、定着器の種類に適合しない種類の用紙を使用した印刷処理を実行するのを防ぐことができる。すなわち、画像形成システム１００は、定着器の種類によらず、用紙を適切に搬送するよう制御することができる。
【００２６】
（第２の実施形態）
次に、第２の実施形態に係る画像形成システム１００について説明する。第２の実施形態に係る画像形成システム１００は、定着器の交換に時間がかかることに鑑み、封筒用定着器が装着された状態においてもオペレータの指示によって封筒以外の用紙の印刷を可能とする。以下、第２の実施形態に係る画像形成システム１００について、第１の実施形態に係る画像形成システム１００と異なる点について説明する。
【００２７】
図５は、第２の実施形態に係る画像形成システム１００による処理を示すフローチャートである。なお、図５に示す各処理のうち、第１の実施形態に係る画像形成システム１００の処理と同じ処理には、同じ番号を付している。Ｓ４０３において、ＣＰＵ１１１は、重送でないと判定した場合には（Ｓ４０３で無）、処理をＳ５０１へ進める。Ｓ５０１において、ＣＰＵ１１１は、警告画面を表示する。図６は、Ｓ５０１において表示される警告画面６１０の一例を示す図である。警告画面６１０は、インタフェース画面６００上に重畳表示される。ここで、インタフェース画面６００は、オペレータが印刷指示の操作を行うインタフェース画面である。
【００２８】
警告画面６１０には、定着器の種類と、用紙の種類とが適合しない旨の通知情報が表示されている。さらに、警告画面６１０には、「ジョブのメディアが異なりますが継続しますか？」というように、印刷指示を受け付け可能な旨の通知情報も含まれている。さらに、印刷ボタン（ＯＫボタン）６１１と、キャンセルボタン６１２が表示されており、印刷ボタン６０２が押下されると、警告画面６１０が閉じられ、印刷処理が行われる。キャンセルボタン６１２が押下されると、警告画面６１０が閉じられ、停止処理が行われる。
【００２９】
図５に戻り、Ｓ５０１の処理の後、Ｓ５０２において、ＣＰＵ１１１は、オペレータからの印刷指示の有無を確認する。ＣＰＵ１１１は、警告画面６１０の印刷ボタン６１１が押下された場合に、印刷指示を受け付ける。ＣＰＵ１１１は、キャンセルボタン６１２が押下された場合には、キャンセル指示を受け付ける。ＣＰＵ１１１は、印刷指示を受け付けた場合には（Ｓ５０２でする）、処理をＳ４０５へ進める。ＣＰＵ１１１は、キャンセル指示を受け付けた場合には（Ｓ５０２でしない）、処理をＳ４０６へ進める。なお、第２の実施形態に係る画像形成システム１００のこれ以外の構成及び処理は、第１の実施形態に係る画像形成システム１００の構成及び処理と同様である。
【００３０】
以上のように、第２の実施形態に係る画像形成システム１００は、封筒用定着器が装着され、かつ封筒以外の用紙が搬送された場合であっても、印刷指示を受け付けた場合には、印刷処理を停止することなく継続することができる。このように、第２の実施形態に係る画像形成システム１００は、定着器の交換に時間がかかることに鑑み、封筒用定着器が装着された場合でも、オペレータの指示によって封筒以外の用紙の印刷を可能にする。
【００３１】
（第３の実施形態）
次に、第３の実施形態に係る画像形成システム１００について説明する。第３の実施形態に係る画像形成システム１００は、第２の実施形態に係る画像形成システム１００と同様に、封筒用定着器が装着された状態においてもオペレータの指示によって封筒以外の用紙の印刷を可能とする。ただし、第３の実施形態に係る画像形成システム１００においては、印刷可能な枚数に制限を設ける。以下、第３の実施形態に係る画像形成システム１００について、第２の実施形態に係る画像形成システム１００と異なる点について説明する。
【００３２】
図７は、第３の実施形態に係る画像形成システム１００による処理を示すフローチャートである。なお、図７に示す各処理のうち、第２の実施形態に係る画像形成システム１００の処理と同じ処理には、同じ番号を付している。Ｓ４０３において、ＣＰＵ１１１は、重送でないと判定した場合には（Ｓ４０３で無）、処理をＳ７０１へ進める。Ｓ７０１において、ＣＰＵ１１１は、記憶部１１３に記憶されている印刷履歴を参照し、封筒以外の用紙に既に印刷処理（印刷処理）が行われているか否かを確認する。なお、印刷履歴には、後述のＳ７０４において、封筒用定着器が装着され、かつ重送でないと判定された状態において、既に印刷処理が行われた回数がＣＰＵ１１１により書き込まれている。ＣＰＵ１１１は、印刷処理が行われた回数が所定回数として定められた１回に達していない場合には（Ｓ７０１でいいえ）、処理をＳ７０２へ進める。ＣＰＵ１１１は、印刷処理が行われた回数が所定回数に達している場合には（Ｓ７０１ではい）、処理をＳ７０３へ進める。なお、所定回数は任意の回数であればよく、１回に限定されるものではない。
【００３３】
Ｓ７０２において、ＣＰＵ１１１は、封筒以外の用紙に対する印刷処理が所定回数に達していないため、印刷可能であることの通知情報を含む警告画面を表示し、その後、処理をＳ５０２へ進める。図８（ａ）は、Ｓ７０２において表示される警告画面８００の一例を示す図である。警告画面８００には、「ジョブのメディアが異なりますが継続しますか？」というように、印刷可能であり、印刷指示を受け付け可能であることの通知情報に加えて、「１回だけ可能」というように、印刷可能な回数も含まれている。ここで、印刷ボタン８０１が押下されると、警告画面８００が閉じられ、印刷処理（Ｓ７０４）が行われる。キャンセルボタンが押下されると、警告画面８００が閉じられ、停止処理（Ｓ４０６）が行われる。
【００３４】
Ｓ７０３において、ＣＰＵ１１１は、封筒以外の用紙に対し所定回数印刷済みであるため、印刷済みであることの通知情報を含む警告画面を表示し、その後、処理をＳ４０６へ進める。図８（ｂ）は、Ｓ７０３において表示される警告画面８１０の一例を示す図である。警告画面８１０には、印刷処理が行えない旨と既に行われた印刷処理の回数とが表示されている。ＯＫボタン８１１が押下されると、警告画面８１０が閉じられ、停止処理（Ｓ４０６）が行われる。
【００３５】
また、Ｓ５０２において、ＣＰＵ１１１は、印刷指示を受け付けた場合には（Ｓ５０２でする）、処理をＳ７０４へ進める。Ｓ７０４において、ＣＰＵ１１１は、搬送されてきた用紙に対し、印刷処理を行うのに加えて、印刷履歴に記憶されている印刷回数に１を加算する。ＣＰＵ１１１は、その後処理を終了する。なお、第３の実施形態に係る画像形成システム１００のこれ以外の構成及び処理は、第２の実施形態に係る画像形成システム１００の構成及び処理と同様である。
【００３６】
以上のように、第３の実施形態の画像形成システム１００は封筒用定着器が装着され、かつ封筒以外の用紙が搬送された場合でも、印刷指示を受け付けた場合には、印刷処理を停止することなく、印刷回数制限内で印刷処理を継続することができる。
【００３７】
以上、本発明の好ましい実施形態について詳述したが、本発明は係る特定の実施形態に限定されるものではなく、特許請求の範囲に記載された本発明の要旨の範囲内において、種々の変形・変更が可能である。
【００３８】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３９】
１００  画像形成システム
１０１  画像形成装置
１１１  ＣＰＵ
１４０  定着器
１５１  重送センサ
【図１】
2017107041.tif 000003
【図２】
2017107041.tif 000004
【図３】
2017107041.tif 000005
【図４】
2017107041.tif 000006
【図５】
2017107041.tif 000007
【図６】
2017107041.tif 000008
【図７】
2017107041.tif 000009
【図８】
2017107041.tif 000010